(57)【要約】【課題】下着の種類を問わず使用でき、取扱いが簡単であり、漏れに対する不安を解消できるようなフィット性を有する吸収性物品を提供する。【解決手段】吸収性物品は、下着内面に接着される基部と、基部の幅方向中央部に長手方向に沿って立設される吸収本体部とを備え、吸収本体部は、互いに重ねられる第１吸収本体部及び第２吸収本体部を備え、第１吸収本体部及び第２吸収本体部は、基部の後端側から前端側に向かって高く形成され、基部の前端から引かれた垂線を超えて延在する上辺部と、基部の前端から垂線よりも後端と反対側に傾斜し、第１吸収本体部と第２吸収本体部とが接続された前辺部とを有し、第１吸収本体部と第２吸収本体部とを互いに離間する方向に開くことにより、吸収本体部が舟形へと変形する。【選択図】図１
2015139601.tif 000002
【特許請求の範囲】
【請求項１】
吸収性物品であって、
下着内面に接着される基部と、
前記基部の幅方向中央部に長手方向に沿って立設される吸収本体部と、
を備え、
前記吸収本体部は、互いに重ねられる第１吸収本体部及び第２吸収本体部を備え、
前記第１吸収本体部及び前記第２吸収本体部は、前記基部の後端側から前端側に向かって高く形成され、前記基部の前記前端から引かれた垂線を超えて延在する上辺部と、
前記基部の前記前端から前記垂線よりも前記後端と反対側に傾斜し、前記第１吸収本体部と前記第２吸収本体部とが接続された前辺部と、
を有し、
前記第１吸収本体部と前記第２吸収本体部は、液透過性のトップシートをその内側に、液不透過性のバックシートをその外側に、前記トップシートと前記バックシートとの間に吸収体を有し、
前記第１吸収本体部の前記垂線が前記上辺部と交差する第１交差部と、前記第２吸収本体部の前記垂線が前記上辺部と交差する第２交差部とを互いに離間する方向に開くことにより、前記吸収本体部が舟形へと変形することを特徴とする吸収性物品。
【請求項２】
前記基部は、前記吸収本体部の長手方向の全長に対して１／３以上の長さを有することを特徴とする請求項１に記載の吸収性物品。
【請求項３】
前記基部は、前端側の幅よりも広い後端側の幅を有することを特徴とする請求項１または２に記載の吸収性物品。
【請求項４】
前記第１吸収本体部及び前記第２吸収本体部は、前記第１交差部及び前記第２交差部の近傍から前記基部に向かって、折り線部を有することを特徴とする請求項１ないし３のいずれか１項に記載の吸収性物品。
【請求項５】
さらに、前記吸収本体部の外側及び／又は前記基部の下着当接側に、ズレ止め部材を備えることを特徴とする請求項１ないし４のいずれか１項に記載の吸収性物品。
【請求項６】
前記ズレ止め部材は、メカニカルファスナーのフック材であること特徴とする請求項５に記載の吸収性物品。
【請求項７】
５ｍｍ以下の厚さを有することを特徴とする請求項１ないし６のいずれか１項に記載の吸収性物品。
【請求項８】
男性用であることを特徴とする請求項１ないし７のいずれか１項に記載の吸収性物品。
【発明の詳細な説明】
【技術分野】
【０００１】
本発明は吸収性物品に関する。
【背景技術】
【０００２】
近年、咳やクシャミをしたときや、重い物を持ったときに起こる腹圧性尿失禁や、前立腺肥大症等による尿失禁を引き起こす中高年が増加している。尿失禁の場合、例え少量であっても下着に吸収しきれないことが多く、ボトムスや下着へのシミとなったり、においが漏れたりすることから、その対策として、尿吸収パッドのような吸収性物品を装着することとなる。
【０００３】
尿失禁用の吸収性物品は、生理用ナプキン等の吸収性物品と同形状、すなわち、略長方形かつ平面状のものが多い（例えば、特許文献１参照）。しかしながら、略長方形状かつ平面状の吸収性物品は、局所へのフィット感が得られにくいため、尿失禁が生じた際に、横漏れが起こりやすい、という問題があった。そこで、男女間における局所の構造上の相違点を踏まえた、吸収性物品も開発されており、男性専用の尿取りライナー、パッド等も各種市販されている。
【０００４】
例えば、特許文献２には、吸収体を取囲む環状の弾性部材によるシート状吸収性物品の環状絞り込みにより、身体側を内側にしたドーム形状としたドーム形状吸収性物品の発明が開示されている。また、特許文献３には、矩形のカバーシートに、男性器の陰茎部分に巻き付けられるつなぎ止めテープを具えた尿吸収パッドの発明が開示されている。
【先行技術文献】
【特許文献】
【０００５】
【特許文献１】特開２００９−１４８４４１号公報
【特許文献２】特開２００１−２２４６１７号公報
【特許文献３】特開２００６−１２２３４６号公報
【発明の概要】
【発明が解決しようとする課題】
【０００６】
しかしながら、立体形状に構成すると、平面状の吸収性物品と比較して嵩張り、持ち運びに不便である、という問題があった。また、陰茎部分を固定する構成にすると、自発的な排尿時にいったん吸収性物品を陰茎から外さなければならず、取り扱いが煩わしい、という問題があった。
【０００７】
さらに、例えば、男性用下着には、身体との密着性が高いブリーフ型と、比較的ゆったりしているトランクス型等の種類があるが、トランクス型の下着に吸収性物品を装着する場合、吸収性物品は下着からずれやすく、使用者は装着する際に下着の種類を選ばなければならない、という問題があった。
【０００８】
本発明は、かかる点に鑑みてなされたものであり、下着の種類を問わず使用でき、取扱いが簡単であり、漏れに対する不安を解消できるようなフィット性を有する吸収性物品を提供することを目的とする。
【課題を解決するための手段】
【０００９】
本発明は、上記目的を達成するために以下の構成によって把握される。
（１）本願発明に係る１つの態様は、吸収性物品であって、下着内面に接着される基部と、基部の幅方向中央部に長手方向に沿って立設される吸収本体部と、を備え、吸収本体部は、互いに重ねられる第１吸収本体部及び第２吸収本体部を備え、第１吸収本体部及び第２吸収本体部は、基部の後端側から前端側に向かって高く形成され、基部の前端から引かれた垂線を超えて延在する上辺部と、基部の前端から垂線よりも後端と反対側に傾斜し、第１吸収本体部と第２吸収本体部とが接続された前辺部と、を有し、第１吸収本体部と第２吸収本体部は、液透過性のトップシートをその内側に、液不透過性のバックシートをその外側に、トップシートとバックシートとの間に吸収体を有し、第１吸収本体部の垂線が上辺部と交差する第１交差部と、第２吸収本体部の垂線が上辺部と交差する第２交差部とを互いに離間する方向に開くことにより、吸収本体部が舟形へと変形する吸収性物品を提供する。
【００１０】
（２）基部は、上記（１）の構成において、吸収本体部の長手方向の全長に対して１／３以上の長さを有していてもよい。
【００１１】
（３）基部は、上記（１）又は（２）の構成において、前端側の幅よりも広い後端側の幅を有していてもよい。
【００１２】
（４）第１吸収本体部及び第２吸収本体部は、上記（１）から（３）のいずれか１つの構成において、第１交差部及び第２交差部の近傍から基部に向かって、折り線部を有していてもよい。
【００１３】
（５）さらに、上記（１）から（４）のいずれか１つの構成において、吸収本体部の外側及び／又は基部の下着当接側に、ズレ止め部材を備えていてもよい。
【００１４】
（６）ズレ止め部材は、上記（５）の構成において、メカニカルファスナーのフック材であってもよい。
【００１５】
（７）上記（１）から（６）のいずれか１つの構成において、吸収性物品は、５ｍｍ以下の厚さを有していてもよい。
【００１６】
（８）上記（１）から（７）のいずれか１つの構成において、吸収性物品は、男性用であってもよい。
【発明の効果】
【００１７】
本発明によれば、本構成を有しない場合に比して、下着の種類を問わず使用でき、取扱いが簡単であり、漏れに対する不安を解消できるようなフィット性を有する吸収性物品を提供することができる。
【図面の簡単な説明】
【００１８】
【図１】本発明の一実施形態に係る吸収性物品１の全体を概略的に示す斜視図である。
【図２】図１に示した吸収性物品を幅方向からみた平面図である。
【図３】（ａ）図１に示した吸収性物品の一の実施形態のＡ−Ａ断面図である。（ｂ）図１に示した吸収性物品の他の実施形態のＡ−Ａ断面図である。
【図４】吸収性物品の製造方法の一の実施形態を模式的に示す工程図である。
【図５】吸収性物品の装着図である。
【発明を実施するための形態】
【００１９】
以下、添付図面を参照して、本発明を実施するための形態（以下、「実施形態」と称する）について詳細に説明する。なお、実施形態の説明の全体を通して同じ要素には同じ番号を付している。
【００２０】
吸収性物品としては、例えば、尿パッド、軽失禁パッド、尿取りライナー、使い捨ておむつ、生理用ナプキン等をあげることができる。
【００２１】
吸収性物品の長手方向とは、吸収性物品を使用者が着用した際、着用者の前後に渡る方向を意味し、吸収性物品の幅方向とは、長手方向に対して横又は直交する方向を意味する。図中、符号Ｘで示す方向（Ｘ方向）が、吸収性物品の長手方向であり、符号Ｙで示す方向（Ｙ方向）が、吸収性物品の幅方向である。本実施形態においては、基部、吸収本体部の長手方向及び幅方向も吸収性物品の長手方向（Ｘ方向）及び幅方向（Ｙ方向）と一致する。また、内側とは、吸収性物品を使用者が着用した際の使用者側を意味し、外側とは、吸収性物品を着用した際の使用者とは反対側を意味する。
【００２２】
（吸収性物品１の全体構成）
まず、吸収性物品１の全体構成を図１に基づいて説明する。
【００２３】
図１は、本発明の一実施形態に係る吸収性物品１の全体を概略的に示す斜視図である。吸収性物品１は、下着Ｕ（図５参照）の内面に接着される基部３と、基部３の幅方向中央部に長手方向に沿って立設される吸収本体部２とを備えている。吸収本体部２は、第１吸収本体部２１と第２吸収本体部２２に分けることができ、第２吸収本体部２２の垂線が第１吸収本体部２１の上辺部と交差する第１交差部２５１と、第２吸収本体部２２の垂線が上辺部と交差する第２交差部２５２とを有している。さらに、吸収本体部２の外側及び／又は基部３の下着当接側には、吸収性物品１の位置ずれを防止するズレ止め部材４を備える。そして、吸収性物品１の厚みを５ｍｍ以下にすることにより、装着していることを他人に気づかれないようにする。
【００２４】
（吸収性物品１の各部構成）
次に、吸収性物品１の各部構成を図１ないし図３に基づいて説明する。
【００２５】
（吸収本体部２）
図２は、吸収性物品を幅方向からみた平面図である。図２に示すように、吸収本体部２は、平板の形態では、平面形状が前後方向に長い形状に形成する。
【００２６】
吸収本体部２は、互いに重ねられる第１吸収本体部２１及び第２吸収本体部２２を備えている。上辺部２３は、第１吸収本体部２１と第２吸収本体部２２のそれぞれに有しており、基部の後端３２側から基部の前端３１側に向かって高く形成され、基部の前端３１から引かれた垂線を超えて延在する。この構成を取ることにより、後ろ漏れを防止することとなる。また、上辺部２３は、略全域にわたって曲線構造を有することにより、吸収本体部２を舟形へと変形させ、装着した際の違和感が少なく、人間工学的に優れた吸収性物品となる。
【００２７】
前辺部２４は、第１吸収本体部２１と第２吸収本体部２２のそれぞれに有しており、基部の前端３１から垂線よりも基部の後端３２と反対側に傾斜し、第１吸収本体部２１と第２吸収本体部２２とが接続されている。前辺部２４がこのような構成をとることにより、例えば、男性が着用する場合、陰茎を吸収本体部２の前部に収納することができるので、使用者が歩いて吸収性物品１をひねったとしても、排尿位置が吸収本体部２の内側からはみ出ることなく、漏れを防止することができる。
【００２８】
図３（ａ）は、図１に示した吸収性物品の一の実施形態のＡ−Ａ断面図であり、図３（ｂ）は図１に示した吸収性物品の他の実施形態のＡ−Ａ断面図である。第１吸収本体部２１と第２吸収本体部２２は、液透過性のトップシート２６をその内側に、液不透過性のバックシート２７をその外側に、トップシート２６とバックシート２７との間に吸収体２８を有する。
【００２９】
トップシート２６は、吸収本体部２の外形形状に合わせて平面形状を形成する。このトップシート２６の基材は、尿等の液体が吸収体２８へと移動するような液透過性を備えていればよく、例えば、サーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、液透過性を向上させるために、トップシート２６にエンボス加工や穿孔加工を施すことが好ましい。その加工方法は、公知の方法を特に限定せず行うことができる。また、肌への刺激を低減させるために、トップシート２６に、ローション、酸化防止剤、抗炎症成分、ｐＨ調整剤、抗菌剤、保湿剤等を含有させることも好ましい。
【００３０】
バックシート２７は、トップシート２６と同様に、吸収本体部２の外形形状に合わせて平面形状を形成する。このバックシート２７の基材は、吸収体２８が保持している尿等の液体が下着に漏れないような液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布およびこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。
【００３１】
吸収体２８は、図３（ａ）に示すように、第１吸収本体部２１と第２吸収本体部２２のそれぞれに形成してもよく、また、図３（ｂ）に示すように、第１吸収本体部２１から第２吸収本体部２２に渡って形成してもよい。吸収体２８の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。フラッフパルプとしては、木材パルプおよび合成繊維、ポリマー繊維等の非木材パルプを綿状に解繊したもの、ＳＡＰとしては、ポリアクリル酸ナトリウム、親水性シートとしては、ティシュ、吸収紙、親水性不織布があげられる。なかでも、解繊パルプを、ＳＡＰの粒子と混合して形成したものや、ＳＡＰをシート状素材と組み合わせたいわゆるＳＡＰシートが好ましい。また、吸収体２８を薄くするために、ＳＡＰの配合比を高くすることが一般的であるが、ＳＡＰが多いと初期吸収性が劣ることから、吸収体２８中のＳＡＰの含有割合を５０質量％未満とすることが好ましい。
【００３２】
第１吸収本体部２１及び第２吸収本体部２２は、第１交差部２５１及び第２交差部２５２の近傍から基部３に向かって、折り線部２９を有する。例えば、図２では、第１交差部２５１及び第２交差部２５２の近傍から基部３にかけて、吸収本体部２を高い圧力で圧縮した１条のエンボスによって、折り線部２９を形成している。また、第１交差部２５１及び第２交差部２５２の近傍を境として２つの吸収体２８を前後に配置し、この境目を折り線部２９としてもよい。なお、折り線部２９の個数、長さ等は、特に限定されるものではなく、吸収性物品１に求められる仕様に応じて任意に変更可能である。折り線部２９により、吸収体本部２の舟形への変形が容易となる。
【００３３】
（基部３の構成）
基部３は、装着する際に糊等の粘着剤や両面テープ等を用いたり、後述するズレ止め部材４を利用したりすることで、下着の内面に接着されるものである。基部３の長さは、吸収本体部２の長手方向の全長に対して、１／３以上であることが好ましい。また、基部３は、基部の前端３１側の幅よりも広い基部の後端３２側の幅を有することが好ましい。基部３が一定の長さ、あるいは、一定の幅の差を有することにより、吸収本体部２の舟形形状に対する安定性が向上し、横漏れを防止することとなる。
【００３４】
基部３の基材は、一般に吸収性物品に使用されるものであれば特に制限はなく、例えば、上述したトップシート２６やバックシート２７で用いた基材をあげることができる。また、基部３の基材は、強度を上げるために、複数の基材を積層したものであってもよい。
【００３５】
（ズレ止め部材４の構成）
ズレ止め部材４は、吸収本体部２の外側及び／又は基部３の下着当接側に備えていてもよい。これは、吸収性物品１を着用する際に、下着Ｕとの接着を堅固にし、下着Ｕからずれにくくするためである。ズレ止め部材４は、一般の吸収性物品で使用されるものと同様な材料のものを用いることができ、例えば、剥離紙付き粘着剤や、メカニカルファスナーのフック材等があげられる。なかでも、ゴミの量を少なくできることから、メカニカルファスナーのフック材が好ましい。ズレ止め部材４の位置及び個数は特に限定されないが、吸収本体部２の前側の立体形状を安定させ、屈んだり歩いたりした際の前方への漏れを防止することから、第１交差部２５１や第２交差部２５２の周辺に配置することが好ましく、また、下着Ｕに対して均等に力を配分させることから、左右対称に配置することが好ましく、さらに、吸収本体部２の外側と基部３の下着当接側の両方に配置することが好ましい。
【００３６】
（舟形への変形及び装着方法）
続いて、吸収本体部２の舟形への変形及び装着方法の一例を図１及び図５に基づいて説明する。
【００３７】
図５は、図１に示す吸収性物品の装着図である。図１に示すように、吸収本体部２の舟形への変形に際しては、例えば、個包装から取り出した吸収性物品１の第１交差部２５１と、第２交差部２５２とを以て、互いに離間する方向に左右に開くことにより、吸収本体部が舟形へと変形する。そして、使用者Ｈは、変形した状態のまま吸収性物品１を下着Ｕに装着する。基部３を逆Ｖ字状に折り曲げて、例えば、基部３の下着当接側に形成したズレ止め部材４を下着Ｕの内面と接着させることにより、吸収性物品１を安定した状態で維持させ、横漏れを防止する。また、吸収本体部２の外側に形成したズレ止め部材４を下着Ｕの前面と接着させることにより、吸収本体部３の舟形形状を安定した状態で維持させる。
【００３８】
（吸収性物品１の製造方法）
図４は、吸収性物品の製造方法の一の実施形態を模式的に示す工程図である。吸収性物品１は、図４に示すような、（１）バックシート２７と吸収体２８を積層し、積層体１１を形成する工程、（２）２枚の積層体１１の２吸収体２８表面側に、２つ折りのトップシート２６を配置し、吸収性物品前駆体１２を形成する工程、（３）吸収性物品前駆体１２をくの字状に固定する工程、（４）ズレ止め部材４を固定する工程、により製造される。この製造方法において、基部３とバックシート２７とが同じ基材を採用する場合、製造工程を短縮し、低コストでの製造方法となる。なお、この基部３は、バックシート２７と一体して形成する他に、（３）の工程において、基部３の基材を別に用意し、吸収性物品前駆体１２と基部３の基材とをくの字状に相互に固定して形成してもよい。また、折り線部２９をエンボスにより形成する場合、（２）の工程の後に、吸収性物品前駆体２９のバックシート２７側からエンボスを付与する工程、を追加する。
【００３９】
吸収性物品前駆体１２にくの字状の固定部１３を形成する手段としては、特に限定せず、ホットメルト接着剤、超音波シール、ヒートシール等があげられるが、吸収性物品前駆体１２を強固に固定するため、超音波シールもしくはヒートシールが好ましい。
【００４０】
また、吸収性物品１は、（１）バックシート２７の上に２つの吸収体２８を所定の間隔を空けて配置し、その上にトップシート２６を積層し、積層体１１を形成する工程、（２）積層体１１を所定の形状に固定し、吸収体２８同士が向かい合うように２つ折りし、吸収性物品前駆体１２を形成する工程、（３）吸収性物品前駆体１２と基部３とを固定する工程、（４）ズレ止め部材４を固定する工程、により製造してもよい。
【００４１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４２】
１      吸収性物品
１１    積層体
１２    吸収性物品前駆体
１３    くの字状の固定部
２      吸収本体部
２１    第１吸収本体部
２２    第２吸収本体部
２３    上辺部
２４    前辺部
２５１  第１交差部
２５２  第２交差部
２６    トップシート
２７    バックシート
２８    吸収体
２９    折り線部
３      基部
３１    基部の前端
３２    基部の後端
４      ズレ止め部材
Ｘ      長手方向
Ｙ      幅方向
Ｈ      使用者
Ｕ      下着
【図１】
2015139601.tif 000003
【図２】
2015139601.tif 000004
【図３】
2015139601.tif 000005
【図４】
2015139601.tif 000006
【図５】
2015139601.tif 000007